【事件の表示】
　平成　６年特許願第２５５７２９号「超高感度印刷システム」拒絶査定不服審判事件〔平成　７年　９月　５日出願公開、特開平　７−２３６０５９〕について、次のとおり審決する。
【結　論】
　本件審判の請求は、成り立たない。
【理　由】
１．手続きの経緯
　本願は、平成６年１０月２０日（パリ条約による優先権主張１９９３年１０月２８日、米国）の出願であって、平成１６年１１月２５日付けで拒絶査定がされ、これに対して平成１７年２月２２日に拒絶査定不服審判が請求されると同時に手続補正がなされたものである。
　
２．平成１７年２月２２日付けの手続補正についての補正却下の決定
［補正却下の決定の結論］
　平成１７年２月２２日付けの手続補正を却下する。
［理由］
（１）補正後の本願発明
　平成１７年２月２２日付けの手続補正により、特許請求の範囲の請求項１は、
　「【請求項１】　ビットマップ画像データを感光性記録媒体上にレンダリングするための超高感度印刷システムであって、前記ビットマップ画像データは高速走査方向及び直交する低速走査方向において前記感光性記録媒体上で画素のアレイとしてレンダリングされ、
　前記感光性記録媒体上に走査スポットを書き込むための書き込みデバイスを有する出力走査デバイスと、
　グレースケール入力画像をグレースケール出力画像に変換するとともに、トーンアートをレンダリングするハーフトナー、ラインアート及びテキストをレンダリングするスレショルダ、前記ハーフトナーと前記スレショルダとに接続されて、高速走査方向及び低速走査方向における前記感光性記録媒体上の走査スポットの輝度の変化の局所的レートに関する情報を提供する再標本化補間器、及び前記スレショルダとハーフトナーの間でスイッチングしてグレースケール出力画像データを提供するセグメンタを含む変換回路構成と、
　前記変換回路構成からグレースケール出力画像データを受け取り、そのグレースケール出力画像データに従って走査スポットを輝度変調することによって前記出力走査デバイスを駆動する変調デバイスと、
　を有する超高感度印刷システム。」
と補正された。
　
　前記補正は、補正前の請求項１に記載した発明を特定するために必要な事項を限定するための補正であり、特許法第１７条の２第４項第２号の特許請求範囲の減縮を目的とするものに該当する。
　そこで、本件補正後の前記請求項１に記載された発明（以下、「本願補正発明」という。）が特許出願の際独立して特許を受けることができるものであるか、すなわち特許法第１７条の２第５項において準用する同法第１２６条第５項の規定に適合するかどうかについて以下に検討する。
　　
（２）引用刊行物
　原審が拒絶の理由に引用した特開平１−１８１３８０号公報（平成１年７月１９日出願公開。以下、「引用例１」という。）には、図面と共に次の各記載がある。
　
（ア）「〔発明が解決しようとする課題〕
　従来、濃淡画像と２レベル画像とが混在する中間調画像情報を実時間で２値化処理する際、処理する画素がいずれの画像に属するかを判定するために種々の方法が用いられてきたが、いずれも、正確な判定結果が得られなかつたり、複雑な演算を要するために実時間処理には不適であつたり、大容量のメモリが必要であるなどの欠点をもつていた。
　特に、ランレングスを用いる方法の回路では、副走査方向のランレングスを求めるのに、多数の入カバッファ（あるいはラインメモリ）が必要であつた。
　また本来、文字・線画の２レベル画像であつても線幅がある程度以上太いものは、ランレングスが大きくなるため、濃淡画像として誤判別されるという不都合があつた。
　
本発明は、入力画像が濃淡画像か２レベル画像かを簡単な構成で正確に判別できる手段を実現することを目的とする
　
〔課題を解決するための手段〕
　本発明は、２値化処理回路において、入力画像中の濃淡画像域と２レベル画像域とを１画素単位に正確に判定するため、２値化処理回路中の像域判定回路に入力された多値画像情報を適当なしきい値でスライスしてランレングスを求め、ランレングス値の小さいものは文字や線画等の線幅に対応するものとして、そのランに含まれる画素を２レベル画像域に属するものと判定し、また副走査方向のランレングスを求める代わりに主走査方向でエッジ検出を行い、濃度レベルが急激に変化するエッジ部分があるときには、文字・線画像の一部と見なし、たとえそのランレングス値が太きくとも、そのエッジ部分の画素も２レベル画像域に属するものと判定する機能を設け、２レベル画像に属すると判定された画素に対しては単一しきい値のスライスを用いた２値化処理を行うようにしたものである。
　第１図は本発明の原理的構成図であり、
　１０は、遅延回路であり、入力された多値画像情報を、像域判定に要する時間だけ遅延させるタイミング調整機能をもつ。
　
１１は、単純スライス処理回路であり、２レベル画像の２値化に適したスライスレベルを定めるしきい値（１）をもち、遅延された入力多値画像情報を単純２値画像情報に変換する
　
１２は、疑似中間調処理回路であり、遅延された入力中間調画像情報を、ディザしきい値パタ−ンを用いてディザ処理し、疑似中間調２値画像情報に変換する
　
１３は、セレクタ回路であり、単純２値画像情報と疑似中間調２値画像情報とのいずれかを１画素単位に選択する
　
１４は、像域判定回路であり、入力多値画像情報について１画素単位に２レベル画像域に属するか濃淡画像域に属するかを判定し、それぞれの判定結果に応じて、セレクタ回路１３に、単純２値画像情報あるいは疑似中間調２値画像情報を選択させる
　１５は、単純スライス処理回路１１と同様な単純スライス処理回路であり、スライスレベルを定めるしきい値（２）は、たとえば２レベル画像を２値化する時のしきい値（１）より少し小さい値とするが、これに限られるものではない。
　１６は、小ランレングス検出回路であり、入力多値画像情報を適当なレベルでスライスし、その結果について、黒ランのランレングスを求めて、注目画素が所定のしきい値ｒ以下のランレングスのラン中に含まれる場合には、線分あるいは点の一部と見なして、その画素を２レベル画像域に属するものと判定する。
　１７は、エッジ検出回路であり、遅延された入力多値画像情報の中で注目画素の周辺の濃度レベル変化を調べ、一定量以上の濃度レベル変化がある場合にはエッジ部分であると見なして、注目画素が２レベル画像域に属するものと判定する。
〔作　用〕
　第２図は、第１図に示された本発明の２値化処理回路の作用を説明するための信号波形図であり、同図（ａ）は原稿画素を主走査方向に読み取り、得られた入力多値画像情報を濃度レベル波形で表したもの、同図（ｂ）は第１図中の単純スライス処理回路１５から出力される２値画像情報を２値波形で表したものである。
　第２図（ａ）において、波形IとIIは、白黒２レベルの文字画像部分、波形IIIは濃淡画像分である。またしきい値（１）は、第１図の単純スライス処理回路１１で単純スライスに用いられるしきい値であり、しきい値（２）は単純スライス処理回路１５で単純スライスに用いられるしきい値である。
　第１図の単純スライス処理回路１１は、しきい値（１）を用いて第２図（ａ）の波形I，II，IIIをそれぞれ単純スライスし、単純２値画像情報に変換する。同様に疑似中間調処理回路１２は、適当なディザしきい値パタ−ンを用いて波形I，II，IIIをそれぞれディザ処理し、疑似中間調画像情報に変換する。変換された各画像情報は、それぞれセレクタ回路１３に入力される。
　一方、第１図の像域判定回路１４において、単純スライス処理回路１５は、しきい値（２）を用いて第２図（ａ）の波形I，II，IIIを単純スライスし、その結果について小ランレングス検出回路１６は、しきい値ｒよりも小さいランレングス値をもつランを検出する。第２図（ａ）の場合、波形Iがこれに該当し、像域判定回路１４は、セレクタ回路１３に指示し、波形Iに対応するものとして単純２値画像情報を選択させる。
　またエッジ検出回路１７は、波形I，II，IIIのそれぞれについて急激に濃度レベルが変化するエッジ部分の検出を行う。このエッジ検出回路１７には、ラプラシアンやグラジェント、ゾ−ベルなどの演算を用いたデジタルフィルタが利用できる。第２図（ａ）の例では、波形IIの前縁と後縁の部分が、エッジ検出され、像域判定回路１４は、セレクタ回路１３に単純２値画像情報を選択するように指示する。
　像域判定回路１４は、検出された小ランレングスおよびエッジの部分以外は濃淡画像と判別し、セレクタ回路１３に疑似中間調２値画像情報を選択するように指示する。
　このようにして、
セレクタ回路１３からは、第２図（ｂ）に示すように、単純２値画像情報と疑似中間調２値画像情報が混在した形で２値画像情報が出力される
　ここで波形IIは、その前縁と後縁の各エッジ部分が黒レベルとして表されるが、中央部分は原稿に応じた濃淡レベルとして表されるので、線幅の太い文字も１輪郭のはつきりした見やすい画像として再生することができる。」（第４頁上右欄第１９行〜第６頁上左欄第９行）
　なお、表現の都合上、丸数字は括弧付きの数字で表した。そして、下線は審決において附された。以下同様。
　
（イ）「〔実施例〕
　第３図は９本発明の１実施例による２値化処理回路の構成図である。
　第３図において、１０はｒ段のシフトレジスタで構成された遅延回路、１１はしきい値（１）による単純スライス処理回路、１２は疑似中間調処理回路、１３はセレクタ回路、１４は像域判定回路、１５および１９はしきい値（２）による単純スライス処理回路、１６ａはランレングスカウンタ、１６ｂはランレングス判定回路、１６ＣはＪＫフリップフロップ、１６ｄは論理積回路、１７ａはラインバッフア、１７ｂはエッジ検出フイルタ、１８は論理和回路である。
　ここで第１図と第３図において、それぞれ同一番号で参照される要素は対応する機能をもつものである。ただし、１６は１６ａないし１６ｄに対応し、１７は１７ａ、１７ｂに対応している。またしきい値（１）、（２）、ｒは両図において共通であり、
　第４図は、第３図の実施例回路の動作を説明するための信号波形図であり、
ＣＬＫ：入力画素クロツク
Ａ　　：入力画素をしきい値（２）で２値化した信号
Ｂ　　：Ａの信号のうち、ランレングスがしきい値ｒよりも大きい部分のランを検出する信号
Ｃ　　：信号Ａを１画素クロツク分遅延させた信号
＊Ｄ　：信号Ｂと信号Ｃから、ランレングスがｒ以上であるランを検出する信号
Ｅ　　：信号Ｃと信号りの論理積をとり、ラン長がｒよりも小さいランを検出する信号
Ｆ　　：１画素クロツク分遅延させた信号からエッジ部分を検出する信号
Ｇ　　：信号Ｅと信号Ｆの論理和による像域判定信号である。
　第３図および第４図を参照して動作を説明する。
　入力多値画像信号は、単純スライス処理回路１５と遅延回路１０に加えられる。
　単純スライス処理回路１５で２値化された信号Ａは、ランレングスカウンタ１６ａで黒ランのランレングスを計数され、結果がランレングス判定回路１６ｂに入力されて、しきい値ｒと比較され、ｒよりも大きいランレングスのとき“Ｈ”となる信号Ｂを、Ｊにフリップフロップ１６ｃのＪ端子に出力する。図示の例では、しきい値ｒが５画素クロツク分の長さをもつている。
　一方、遅延回路１０でｒ画素クロツク分遅延された入力多値画像信号は、単純スライス処理回路１９で２値化され、信号Ｃとして、信号Ｂにタイミングを合わせてＪＫフリップフロップ１６ｃのＫ端子に加えられる。
　ＪＫフリフブフロンプ１６ｃは、Ｊ、Ｋ各端子の信号レベルがともに“Ｈ”となつたときオンとなり、Ｑ端子を“Ｌ”にするが、ともに“Ｌ”となつたときオフとなり、Ｑ端子を“Ｈ”にする（信号＊Ｄ）。
　信号＊Ｄは、信号Ｃからしきい値ｒよりも大きいランレングスの黒ランのみを取り出したものである。
　論理積回路１６ｄは、信号Ｃと信号＊Ｄの論理積をとることにより、信号Ｃから、しきい値ｒよりも大きいランレングスの黒ラン部分を除去する（信号Ｆ）。
　単純スライス処理回路１１、疑似中間調処理回路１２、セレクタ回路１３の機能は、第１図で説明したものと同じであるので、ここでは説明を省略する。
　ラインバツフア１７ａには、遅延された入力中間調画像信号が、エッジ検出に必要なライン数分格納される。
　エッジ検出フイルタ１７ｂは、注目画素ごとにラインバッフア１７ａから定められた複数画素のデ−タを取り出し、フィルタ処理によりエッジ部の検出を行う（信号Ｆ）。なお、しきい値Ｔは、エッジ部を検出するための基準値として使用される。
　信号Ｅと信号Ｆは、論理和回路１８で合成されて信号Ｇとなる。この信号Ｇは、信号Ｃの中で２レベル画像域に属するランあるいはランの一部（エッジ）のみを示しており、セレクタ回路１３に対して、“Ｈ”レベルのとき単純スライス処理回路１１の出力を選択させ、“Ｌ”レベルのとき疑似中間調処理回路１２の出力を選択させる。
　次にエッジ検出フィルタ１７ｂのフィルタ処理について説明する。
　エッジ検出フィルタ１７ｂは、二次微分的あるいは一次微分的なフィルタの一種であり、第５図（ａ）に示すような３×３画素マトリクスを例にとると、たとえばラプラシアン方式では、
　｜２Ｓ０−ΣＳｉ／４｜≧Ｔ１　　　　　　　・・・（１）
　　　　　　　　　　　　　（ｉ＝０，１，２，・・・，８）
の演算を行い、グラジェント方式では。
　｜Ｓ８−Ｓ４｜＋｜Ｓ２−Ｓ６｜　≧Ｔ２　　・・・（２）
の演算を行う、Ｔ１、Ｔ２はしきい値を表す。
　ラプラシアン方式では、画像の二次微分成分を通過させるディジタルフイルタを構成するものであり、グラジェント方式は、−次微分成分を通過させるディジタルフィルタを構成する。
　第５図（ｂ）は、ラプラシアン方式によるエッジ検出フィルタの実施例構成図である。図中のラインバッフアＡには１ライン前のラインデ−タ（２）が格納され、ラインバッフアＢには２ライン前のラインデ−タ（１）が格納されている。
　ΣＳｉ演算部は、現ラインデ−タ（３）と、各ラインバッフアＡ、Ｂ内のラインデ−タ（２）、（１）とを、それぞれ入力して、ΣＳｉを演算し、｜２Ｓ０−ΣＳｉ／４｜演算部でＳｏとの差分演算を行う。この演算の結果は、図示されていない比較器において、しきい値Ｔ１と比較され、（ｌ）式の結果が得られる。
　ラプラシアン方式によるエッジ検出フィルタは、高い空間周波数成分を抽出するため、網版写真のような原稿画像の場合、写真中に多数のエッジを検出してしまい、画像品質を劣化させることがある。
　この問題を改善するには、ゾ−ベル演算によるエッジ検出フィルタを用いるのが有効である。
　ゾ−ベル演算によるエッジ検出フィルタは、
　｜Ｓ１＋２Ｓ８＋Ｓ７−（Ｓ３＋２Ｓ４＋Ｓ５）｜
＋｜Ｓ１＋２Ｓ２＋Ｓ３−（Ｓ７＋２Ｓ６＋Ｓ５）｜≧Ｔ３
　　　　　　　　　　　　　　　　　　　　　　　　・・・（３）
を演算するものであり、２×２画素単位に平滑化処理を行つた後に、差分演算が行われることを示している。なお、Ｔ３はしきい値である。この平滑化処理を含むことにより、高周波における雑音の影響を軽減することができる。」（第６頁上左欄第１１行〜第７頁下左欄第１３行）
　
（ウ）「〔発明の効果〕
　以上のように、
本発明によれば、入力多値画像情報を濃淡画像域と２レベル画像域とに正確に分離して、それぞれ最適な単純スライス２値化と疑似中間調２値化とを行うことができ、特に線幅の太い文字や線画などはエッジ部をくつきりと再現され、しかも本来の写真等の濃淡画像も従来方式にくらべて劣らない画質で再現される
　第６図ないし第８図は９本発明と従来例との性能差を示すための同一原稿画像についての２値化処理例であり、第６図は従来の単純スライス２値化を行つたときの再生画像、第７図は従来の疑似中間調２値化（ディザ法）を行つたときの再生画像、
第８図は本発明により像域判定を行つて２値化したときの再生画像をそれぞれ表わしている
これら各図の再生画像の比較から明らかなように、本発明による再生画像は、写真部分も文字・線画部分も、いずれも良好な画質を保つている
　また本発明は、入カバッフア等のハ−ド量が従来のものにくらべて少なくて済み、しかも容易に実時間で動作させることができる利点をもつ。」（第７頁下左欄第１５行〜同頁下右欄第１５行）
　
　以上の記載からみて、引用例１には、次のような発明が記載されているものと認められる。
　「写真等の濃淡画像あるいは文字・線画等の２レベル画像を多階調で読み取つて得られた多値画像情報を入力して、実時間で２値画像情報に変換する２値化処理回路において、
　入力多値画像情報を画素単位に所定のしきい値でスライスして、単純２値画像情報に変換する単純スライス処理回路（１１）と、
　入力多値画像情報を画素単位に所定のデイザしきい値パタ−ンを用いてデイザ処理し、疑似中間調２値画像情報に変換する疑似中間調処理回路（１２）と、
　単純２値画像情報および疑似中間調２値画像情報を入力して、そのいずれか一方を指示により画素単位に選択するセレクタ回路（１３）と、
　入力された多値画像情報の各画素について、それが２レベル画像域に属するか濃淡画像域に属するかを判定して、セレクタ回路（１３）に単純２値画像情報あるいは疑似中間調２値画像情報を選択するように指示する像域判定回路（１４）とをそなえ、
　像域判定回路（１４）は、入力された、多値画像情報を適当なしきい値でスライスしてランレングスを求め、ランレングスが所定値よりも小さいランに含まれる画素を２レベル画像域に属するものと判定し、またランレングスが上記所定値よりも大きいランについてそのエッジ部分を検出し、エッジ部分に含まれる画素についても２レベル画像域に属するものと判定するように構成することを特徴とする画像情報の２値化処理回路。」
　
（３）対比
　本願補正発明と引用例１に記載された発明を対比すると、引用例１に記載された発明の「濃淡画像」は、本願補正発明の「トーンアート」に相当し、引用例１に記載された発明の「文字・線画等の２レベル画像」は、本願補正発明の「ラインアート及びテキスト」に相当し、引用例１に記載された発明の「入力多値画像情報」は、本願補正発明の「グレースケール入力画像」に相当し、引用例１に記載された発明の「単純２値画像情報」は、本願補正発明の「ビットマップ画像データ」に相当することは、明らかである。
　また、引用例１に記載された発明の「主走査方向」は、本願補正発明の「高速走査方向」に相当し、引用例１に記載された発明の「副走査方向」は、本願補正発明の「低速走査方向」に相当することも明らかである。
　そして、引用例１に記載された発明の「単純スライス処理回路１１」は、本願補正発明の「スレッショルダ６８」に相当し、引用例１に記載された発明の「疑似中間調処理回路１２」は、本願補正発明の「ハーフトナー７０」に相当し、引用例１に記載された発明の「セレクタ回路１３及び像域判定回路１４」は、本願補正発明の「セグメンタ６２」に相当することも、明らかである。
　
　そして、引用例１には、単純２値画像情報（本願補正発明のビットマップ画像データに相当）を記録媒体にレンダリングすなわち描画するための印刷システムであって、前記単純２値画像情報は、主走査方向（本願補正発明の高速走査方向に相当）及び副走査方向（本願補正発明の低速走査方向に相当）において、記録媒体上で画素のアレイとして描画されることが記載されているから、本願補正発明と引用例１に記載された発明とは、
　「ビットマップ画像データを感光性記録媒体上にレンダリングするための超高感度印刷システムであって、前記ビットマップ画像データは高速走査方向及び直交する低速走査方向において前記感光性記録媒体上で画素のアレイとしてレンダリング」
する点で差異はない。
　
　引用例１に記載された発明は、濃淡画像（本願補正発明のトーンアートに相当）をレンダリングする疑似中間調処理回路１２（本願補正発明のハーフトナー７０に相当）、文字・線画等の２レベル画像（本願補正発明のラインアート及びテキストに相当）をレンダリングする単純スライス処理回路１１（本願補正発明のスレッショルダ６８に相当）、および、前記単純スライス処理回路１１と前記疑似中間調処理回路１２との間でスイッチングして出力画像データを提供するセレクタ回路１３（本願補正発明のセグメンタ６２に相当）を有し、そして該疑似中間調処理回路１２、単純スライス処理回路１１、及びセレクタ１３は、画像データを変換する変換回路を構成していることは明白であるから、本願補正発明と引用例１に記載された発明とは、
　「トーンアートをレンダリングするハーフトナー、ラインアート及びテキストをレンダリングするスレショルダ、及び前記スレショルダとハーフトナーの間でスイッチングしてグレースケール出力画像データを提供するセグメンタを含む変換回路構成」
を有する点で差異はない。
　
　そうすると、本願補正発明と引用例１に記載された発明とは、
（一致点）
　「ビットマップ画像データを感光性記録媒体上にレンダリングするための超高感度印刷システムであって、前記ビットマップ画像データは高速走査方向及び直交する低速走査方向において前記感光性記録媒体上で画素のアレイとしてレンダリングされ、
　トーンアートをレンダリングするハーフトナー、ラインアート及びテキストをレンダリングするスレショルダ、及び前記スレショルダとハーフトナーの間でスイッチングして出力画像データを提供するセグメンタを含む変換回路構成と、
　を有する超高感度印刷システム。」
である点で一致し、次の各点で相違する。
　
（相違点１）
　本願補正発明は、感光性記録媒体上に走査スポットを書き込むための書き込みデバイスを有する出力走査デバイスを有しているのに対して、引用例１に記載された発明は、感光性記録媒体上に走査スポットを書き込む出力走査デバイスを有するとは明記しない点。
　
（相違点２）
　本願補正発明は、出力画像データに従って走査スポットを輝度変調することによって出力走査デバイスを駆動する変調デバイスを有しているのに対して、引用例１に記載された発明は、出力走査デバイスを駆動する変調デバイスを有するとは明記しない点。
　
（相違点３）
　本願補正発明は、ハーフトナーとスレショルダとに接続されて、高速走査方向及び低速走査方向における感光性記録媒体上の走査スポットの輝度の変化の局所的レートに関する情報を提供する再標本化補間器を有しているのに対して、引用例１に記載された発明は、再標本化補間器を有していない点。
　
（４）判断
（相違点１について）
　上記相違点１について判断するに、感光性記録媒体上に走査スポットを書き込むための出力走査デバイスは、次の刊行物１〜３
【１】．特開平４−３０１４６９号公報
（特に、プリンタエンジン部２００、レーザビームプリンタ８００を参照。）
【２】．特開平５−１２２５４３号公報
（特に、レーザ２６、レーザドライバ２６０、及びレーザ部４５を参照。）
【３】．特開平５−２３３７９２号公報
（特に、レーザユニット１１，２６を参照。）
に開示されているように、当業者には周知自明な出力デバイスであるから、引用例１に記載された発明に、この周知な出力デバイスを転用することにより、本願補正発明の如く構成することは、当業者が適宜なし得ることである。
　
（相違点２について）
　上記相違点２について判断するに、出力走査デバイスを駆動する変調デバイスは、先に示した刊行物１〜３
【１】．特開平４−３０１４６９号公報
（特に、プリンタコントローラ１００を参照。）
【２】．特開平５−１２２５４３号公報
（特に、段落【００８１】に記載のレーザドライバ２６０を参照。）
【３】．特開平５−２３３７９２号公報
（特に、段落【０００３】に記載のレーザユニット２６及び段落【００３１】に記載のレーザユニット１１を参照。）
に開示されているように、当業者には周知な技術常識であるから、引用例１に記載された発明に、出力走査デバイスを駆動するための該周知な変調デバイスを転用することにより、本願補正発明の如く構成することは、当業者が適宜なし得ることである。
　　
（相違点３について）
　上記相違点３について判断するに、使用する出力デバイスの解像度が相違する時に、再標本化補間器を用いて再標本化と補間処理を行うことは、先に示した刊行物１〜３
【１】．特開平４−３０１４６９号公報
（特に、特許請求の範囲の記載、及び段落【０００６】〜【００１１】の記載を参照。
【２】．特開平５−１２２５４３号公報
（特に、段落【００５４】〜【００６７】の記載を参照。）
【３】．特開平５−２３３７９２号公報
（特に、段落【００２４】及び【００３１】の記載を参照。）
にその旨が記載されているように当業者には、周知な技術常識であるから、引用例１に記載された発明にこの周知技術事項を転用して本願補正発明の如く構成することは、当業者が適宜なし得ることである。
　
（５）むすび
　以上のとおり、本願補正発明は、引用例１に記載された発明及び周知技術に基づいて当業者が容易に発明をすることができたものであるから、特許法第２９条第２項の規定により特許出願の際、独立して特許を受けることができるものではなく、特許法第１７条の２第５項で準用する同法１２６条第５項の規定に違反するものであるから、平成１７年２月２２日付けの手続補正は、特許法第１５９条第１項で準用する同法第５３条第１項の規定により却下すべきものである。
　
３．本願発明について
　平成１７年２月２２日付けの手続補正は、前記のとおり却下されるから、本願の特許請求の範囲の請求項１に係る発明（以下、「本願発明」という。）は、平成１６年１１月４日付けの手続補正によって補正された特許請求の範囲の請求項１に記載された次のとおりのものである。
　
　「【請求項１】　ビットマップ画像データを感光性記録媒体上にレンダリングするための超高感度印刷システムであって、前記ビットマップ画像データは高速走査方向及び直交する低速走査方向において前記感光性記録媒体上で画素のアレイとしてレンダリングされ、
　前記感光性記録媒体上に走査スポットを書き込むための書き込みデバイスを有する出力走査デバイスと、
　グレースケール入力画像をグレースケール出力画像に変換するとともに、トーンアートをレンダリングするハーフトナー、ラインアート及びテキストをレンダリングするスレショルダ、このスレショルダに接続されて、高速走査方向及び低速走査方向における前記感光性記録媒体上の走査スポットの輝度の変化の局所的レートに関する情報を提供する再標本化補間器、及び前記スレショルダとハーフトナーの間でスイッチングしてグレースケール出力画像データを提供するセグメンタを含む変換回路構成と、
　前記変換回路構成からグレースケール出力画像データを受け取り、そのグレースケール出力画像データに従って走査スポットを輝度変調することによって前記出力走査デバイスを駆動する変調デバイスと、
　を有する超高感度印刷システム。」
　
（１）引用例
　原審の拒絶の理由で引用された引用例及びその記載事項は、前記「２．（２）」項に記載したとおりである。
　
（２）対比・判断
　本願発明は、前記「２．（３）」項及び「２．（４）」項で検討した本願補正発明からその限定事項である
　「前記ハーフトナーと前記スレッショルダとに接続されて、」
を省いたものである。
　そうすると、本願発明を特定する事項をすべて含み、更に他の特定する事項を付加したものに相当する本願補正発明が、前記「２．（４）」項に記載したとおり、引用例１に記載された発明及び周知技術とに基づいて当業者が容易に発明をすることができたものであるから、本願発明も、同様の理由により、引用例１に記載された発明及び周知技術とに基づいて当業者が容易に発明をすることができたものである。
　
（３）むすび
　以上のとおり、本願発明は、引用例１に記載された発明及び周知技術に基づいて当業者が容易に発明をすることができたものであり、特許法第２９条第２項の規定により特許を受けることができないものであるから、本願は拒絶されるべきものである。
　よって、結論のとおり審決する。